(57)【要約】  【課題】ベース部材を大きくさせずに部品点数を最少に抑えて、孔明けの操作性を向上させるゲージ付き孔明けパンチを提供する。  【解決手段】孔明けパンチ１の下カバー（ベース部材）７の内部にゲージガイド溝８を下カバー７の前側辺縁部に沿って設けると共に、ゲージガイド溝８に用紙位置決め用のゲージ１０を引き出し可能に収納し、ゲージ１０の引き出し側端部に付き当て部材１２を突設する。ゲージ１０は、ゲージガイド溝８側に設けた下側段部１６と係合する回転規制用の下側棒状突起１４を有し、ゲージガイド溝８には、ゲージ１０がゲージガイド溝８の収納位置に押し込まれた時に回転規制を解放する回転ガイド面（回転許容部）１７を有する。更に、ゲージ１０は、収納位置では下カバー７の上面から付き当て部材１２が突出しない倒伏状態に回転して保持できるように構成する。【選択図】図１
2010017784.tif 000002
【特許請求の範囲】
【請求項１】
ベース部材の内部にゲージガイド溝を設けると共に、該ゲージガイド溝に用紙位置決め用のゲージを引出し可能に収納し、該ゲージの引出し側端部に付き当て部材を突設して成るゲージ付き孔明けパンチにおいて、
該ゲージは前記ゲージガイド溝側に設けた段部と係合する回転規制用の突起を有し、且つ、前記ゲージガイド溝は、前記ゲージを収納位置まで押し込んだ時に前記回転規制用の突起と前記ゲージ側の段部との係合を解放して該ゲージの回転を許容にする回転許容部を備え、前記ゲージは収納位置では前記付き当て部材がベース部材の上面から突出しない状態に回転して保持できるように構成したことを特徴とするゲージ付き孔明けパンチ。
【請求項２】
上記ゲージの先端部には、上記ゲージガイド溝側に設けた被嵌合部と係合する嵌合部が形成され、該ゲージが各種定型用紙の幅寸法と対応する位置まで移動した時に前記嵌合部と被嵌合部との係合を解放してクリック感を与える係合解放部を備えることを特徴とする請求項１記載のゲージ付き孔明けパンチ。
【請求項３】
上記ゲージガイド溝は左右対称な形状に形成され、且つ、該ゲージガイド溝の左右両側にゲージ挿入口が設けられていることを特徴とする請求項１又は２記載のゲージ付き孔明けパンチ。
【発明の詳細な説明】
【技術分野】
【０００１】
本発明はゲージ付き孔明けパンチに関するものであり、特に、ベース部材に設けたゲージガイド溝に用紙位置決め用のゲージを引出し可能に収納して成るゲージ付き孔明けパンチに関するものである。
【背景技術】
【０００２】
従来、複数枚の用紙をバインダーで綴じるために、該用紙の側縁部に複数の綴じ孔が明けられるが、その際、用紙の孔明け位置を位置決めするために、パンチのベース部材の前辺縁部にゲージを付設したものが知られている（例えば、特許文献１参照）。
【０００３】
此種パンチは、ベース部材の内部にゲージガイド溝を設けると共に、該ゲージガイド溝に用紙位置決め用のゲージを引き出し可能に収納し、且つ、該ゲージの引出し側端部に付き当て部材を上方向に突出するように取り付けている。  そして、用紙の孔明け位置を位置決めする際は、ゲージを各種定型用紙の幅寸法に適合する引出し位置に調節することにより、用紙の孔明け位置を決定している。
【特許文献１】特許第３７６０３６６号公報
【発明の開示】
【発明が解決しようとする課題】
【０００４】
しかしながら、使用者は常にゲージを使用するとは限らず、ゲージを使用せずに孔明け作業を行う場合がある。ゲージを使用しない場合は、該ゲージの引出し端側に設けた付き当て部材がベース部材の上面に突出するために、該突出部分がパンチ作業の邪魔になり、孔明けの操作性を低下させるという問題があった。又、特許文献１記載のパンチはゲージを使用して定型用紙に孔明けを行う場合において、ゲージの回動を規制する手段を有しないため、用紙をパンチ位置に挿入する際に用紙の端部が突き当て部に接触し、突き当て部が倒れてしまう問題があった。
【０００５】
上記問題を解消するために、ベース部材のサイズを大きく形成すると共に、ゲージ自体を特定の形状に限定することにより、該ゲージの付き当て部を操作の邪魔にならない位置に移動させるゲージ移動方式のパンチが提案されている。しかし、この場合はベース部材のサイズが大きくなるだけでなく、ゲージによる用紙位置決めがベース部材の右側または左側のみに限定されると共に、部品点数が増加するという新たな問題が生ずる。
【０００６】
そこで、ゲージ付き孔明けパンチのベース部材を大きくさせることなく、且つ、部品点数を必要最少に抑制して、孔明け作業時の操作性を向上させると共に、ゲージを使用して定型用紙に孔明けを行う場合に、用紙の端部が当たって突き当て部が倒れることがないようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、ベース部材の内部にゲージガイド溝を設けると共に、該ゲージガイド溝に用紙位置決め用のゲージを引出し可能に収納し、該ゲージの引出し側端部に付き当て部材を突設して成るゲージ付き孔明けパンチにおいて、該ゲージは前記ゲージガイド溝側に設けた段部と係合する回転規制用の突起を有し、且つ、前記ゲージガイド溝は、前記ゲージを収納位置まで押し込んだ時に前記回転規制用の突起と前記段部との係合を解放して該ゲージの回転を許容にする回転許容部を備え、前記ゲージは収納位置では前記付き当て部材がベース部材の上
面から突出しない状態に回転して保持できるように構成したことを特徴とするゲージ付き孔明けパンチを提供する。
【０００８】
この構成によれば、ゲージは、ゲージガイド溝の一番外側の引き出し位置から一番内側の収納位置まではゲージ側の突起がゲージガイド溝側の段部に係合するため、該ゲージは回転規制された状態でゲージガイド溝に沿って移動する。そして、ゲージが収納位置まで移動すると、ゲージ側の突起は、ゲージガイド溝側に設けた回転許容部により、前記段部との係合を解放してゲージの回転が可能になる。依って、ゲージを１方向に回転させることにより、前記ゲージは、前記ベース部材の上面から付き当て部材が突出しない状態に保持される。
【０００９】
請求項２記載の発明は、上記ゲージの先端部には、上記ゲージガイド溝側に設けた被嵌合部と係合する嵌合部が形成され、該ゲージが各種定型用紙の幅寸法と対応する位置まで移動した時に前記嵌合部と被嵌合部との係合を解放してクリック感を与える係合解放部を備えることを特徴とする請求項１記載のゲージ付き孔明けパンチを提供する。
【００１０】
この構成によれば、ゲージがゲージガイド溝に沿って各種定型用紙の幅寸法と対応する位置まで移動すると、ゲージ側の嵌合部とゲージガイド溝側の被嵌合部との係合が解放されるため快適なクリック感が得られる。
【００１１】
請求項３記載の発明は、上記ゲージガイド溝は左右対称な形状に形成され、且つ、該ゲージガイド溝の左右両側にゲージ挿入口が設けられていることを特徴とする請求項１又は２記載のゲージ付き孔明けパンチを提供する。
【００１２】
この構成によれば、ゲージガイド溝を左右対称な形状に形成したので、ゲージはゲージガイド溝の左端側のゲージ挿入口又は右端側のゲージ挿入口の何れにも挿着できるようになる。
【発明の効果】
【００１３】
請求項１記載の発明は、ゲージは収納位置ではベース部材上面から付き当て部材が突出しない状態に保持できるので、ゲージの不使用時には付き当て部材が邪魔にならず、孔明け作業の操作性が従来例に比べて向上する。又、本発明はゲージ自体を回転させるので、ベース部材のサイズを大きくする必要がなく、部品点数を必要最少に抑えることができる。又、ゲージを使用して定型用紙に孔明けを行う場合に、用紙の端部が当たって突き当て部が倒れてしまうと云う不具合はすべて解消される。
【００１４】
請求項２記載の発明は、ゲージが各種定型用紙と対応する位置決め箇所まで移動すると、快適なクリック感が得られるので、請求項１記載の発明の効果に加えて、用紙位置決め時における操作フィーリングを一層向上させることができる。
【００１５】
請求項３記載の発明は、ゲージはゲージガイド溝の左端側又は右端側から挿着できるので、請求項１又は２記載の発明の効果に加えて、ベース部材の左右両側からゲージを引き出して各種定型用紙の位置決めを実行でき、従来例に比して孔明けパンチの使い勝手が良くなる利点を有する。
【発明を実施するための最良の形態】
【００１６】
本発明は、ベース部材を大きくさせることなく、且つ、部品点数を必要最少に抑制して、孔明け作業時の操作性を向上させるゲージ付き孔明けパンチを提供するという目的を達成するために、ベース部材（ベースプレートの内部、或いはベースプレート下面に装着された下カバーを含む。）の内部にゲージガイド溝を設けると共に、該ゲージガイド溝に用
紙位置決め用のゲージを引出し可能に収納し、該ゲージの引出し側端部に付き当て部材を突設して成るゲージ付き孔明けパンチにおいて、該ゲージは前記ゲージガイド溝側に設けた段部と係合する回転規制用の突起を有し、且つ、前記ゲージガイド溝は、前記ゲージを収納位置まで押し込んだ時に前記回転規制用の突起と前記段部との係合を解放して該ゲージの回転を許容にする回転許容部を備え、前記ゲージは収納位置では前記付き当て部材がベース部材の上面から突出しない状態に回転して保持できるように構成したことにより実現した。
【実施例】
【００１７】
以下、本発明の好適な一実施例を図１乃至図１０に従って説明する。図１は本実施例に係る孔明けパンチを示す斜視図である。同図に示すように、孔明けパンチ１はベースプレート２を備え、該ベースプレート２の所定箇所には左右一対のダイ穴が形成されている。そして、ベースプレート２の上面には、左右一対のパンチ軸支持フレーム３，３が取付けられている。
【００１８】
又、パンチ軸支持フレーム３，３の前部下面とベースプレート２の上面との間には用紙挿入用の隙間が形成されている。更に、パンチ軸支持フレーム３，３の前部には、Ｄ字型又はコ字型のレバーハンドル４の下端部がハンドル支持ピン５を介して上下回動可能に枢着されている。
【００１９】
パンチ軸支持フレーム３，３の前側下面部には軸ガイド穴（図示せず）が形成され、軸ガイド穴はベースプレート２側のダイ穴と対応して配置されている。又、軸ガイド穴には丸ピン形のパンチ軸（図示せず）が装着され、該パンチ軸の上部は、水平方向のパンチ軸支持ピン６を介してレバーハンドル４の前端部に連結されている。
【００２０】
そして、ベースプレート２の下面には、金属製又は樹脂製の下カバー（ベース部材）７が装着され、該下カバー７は、ベースプレート２の下面全体を覆うように受け皿状に形成されている。更に、下カバー７は薄肉のヒンジ部７Ａにより前カバー部と後カバー部に二分されている。
【００２１】
依って、上記孔明けパンチ１により用紙に綴じ孔を明ける際は、ベースプレート２とパンチ軸支持フレーム３，３との間の隙間に用紙を挿入して、レバーハンドル４を押下げ操作することにより、レバーハンドル４に連結したパンチ軸が下降して用紙に綴じ孔が明けられる。尚、この後、パンチ軸の下端部は下ベースプレート２のダイ穴を貫通し、又、パンチ軸により打抜かれた紙屑は受け皿状の下カバー７内に落下する。
【００２２】
下カバー７の内部にはゲージガイド溝８が設けられ、該ゲージガイド溝８は下カバー７の前側辺縁部に沿って延びている。又、ゲージガイド溝８は左右対称な形状に形成され、該ゲージガイド溝８の左右両側にはゲージ挿入口９Ｌ，９Ｒが形成されている。
【００２３】
ゲージガイド溝８の内部には、用紙位置決め用のゲージ１０がスライド可能に挿着され、該ゲージ１０は細長い金属又は樹脂により作製されている。又、ゲージ１０は、ゲージガイド溝８からの引き出し量を調整することにより、各種の定型用紙の幅寸法、例えばＡ４横、Ｂ５横、Ｂ８横又はＡ６縦等の幅寸法に応じて孔明け位置を決定する機能を有している。
【００２４】
本実施例では、ゲージガイド溝８は左右両端にゲージ挿入口９Ｌ，９Ｒを有するので、ゲージ１０は左端側のゲージ挿入口９Ｌ又は右端側のゲージ挿入口９Ｒのいずれからでもゲージガイド溝８に挿着できるように構成されている。従って、図１に示すように、左端側のゲージ挿入口９Ｌからゲージ１０をゲージガイド溝８の外側に引き抜き、この後、該
引抜いたゲージ１０を右端側のゲージ挿入口９Ｒからゲージガイド溝８に挿着して使用することができる。
【００２５】
次に、上記ゲージ１０の構成例について詳述する。図２に示すように、ゲージ１０の断面形状は下方に凸の半円状に形成され、該ゲージ１０の平坦状上面にはマーキングシール１１が貼り付けられている。このマーキングシール１１の複数箇所には、各種定型用紙の幅寸法が表示されている。但し、マーキングシールによる表示手段に限定されるべきではなく、例えば、同刻等の手段によって表示することもできる。
【００２６】
ゲージ１０の引出し側端部には付き当て部材１２が上方向に突出して設けられ、該付き当て部材１２の内側面に用紙の外側端縁を付き当てることにより、当該用紙の幅寸法に対応した孔明け位置が決定される。更に、ゲージ１０の平坦状上面の板幅方向両側には回転規制用の張出突起１３が設けられている。又、ゲージ１０の半円状下面には、図３に示すように、回転規制用の棒状突起１４が複数突設されている。
【００２７】
ゲージ１０に設けた上側張出突起１３及び下側棒状突起１４は、ゲージガイド溝８内面に設けた上側段部１５及び下側段部１６と係合して、ゲージガイド溝８に対するゲージ１０の回転動作を規制する（図４参照）。
【００２８】
ここで、ゲージガイド溝８の回転規制用下側段部１６の所定箇所、即ち、ゲージ１０をゲージガイド溝８の最奥箇所（収納位置）まで押し込んだときに下側棒状突起１４と対応する箇所は切欠されており、該切欠部には円弧状の回転ガイド面（回転許容部）１７が設けられている（図６及び図７参照）。
【００２９】
而して、ゲージ１０の先端部をゲージガイド溝８の収納位置まで押し込むと、ゲージ１０側の下側棒状突起１４がゲージガイド溝８側の下側段部１６との係合が解放される。この後、ゲージ１０を１方向（図６又は図１０中の矢印Ｒ）に回転操作すると、ゲージ１０の下側棒状突起１４が回転ガイド面１７に乗り移り、該回転ガイド面１７に沿ってゲージ１０が９０度回転変位できるように構成されている。
【００３０】
このように本実施例は、ゲージ１０の先端部がゲージガイド溝８の収納位置に移動した時に、ゲージ１０側の下側棒状突起１４とゲージガイド溝８側の下側段部１６との係合による回転規制を解放する機構を有する。このため、ゲージ１０が収納位置に移動したときは、付き当て部材１２が下カバー７の上面から突出しない倒伏位置に回転して保持できるように構成されている。
【００３１】
更に、ゲージ１０上面の先端側近傍には、図３に示すように、クリック感を起こさせるための凸状の上面嵌合部１８が設けられている。該上面嵌合部１８は、図４に示すように、ゲージガイド溝８内面に形成した凹状の被嵌合部１９に弾接状態で係合している。ここで、ゲージガイド溝８の被嵌合部１９の所定箇所、即ち、図５に示すように、各種定型用紙の幅寸法と対応する複数箇所は切欠されており、該切欠部にはゲージ１０側の上面嵌合部１８が接触しない凹所２０が設けられている。
【００３２】
このため、ゲージ１０側の上面嵌合部１８がゲージガイド溝８側の凹所２０と対応する位置に移動すると、該上面嵌合部１８は被嵌合部１９との弾接係合から解放されるため、スライド操作時にクリック感が出るように構成されている。尚、クリック感惹起用の上面嵌合部１８を凹状に形成し、且つ、前記被嵌合部１９を凸状に形成してもよい。
【００３３】
次に、本実施例の作用について説明する。図８に示すように、通常のゲージ１０の使用では、各種定型用紙の幅寸法に応じてゲージ１０をゲージガイド溝８に沿う所定位置に引
き出すことにより、当該用紙の孔明け位置が決定される。この場合、ゲージ１０の引出し移動中は、図４に示すように、ゲージ１０側の上側張出突起１３及び下側棒状突起１４が、ゲージガイド溝８側の上側段部１５及び下側段部１６と係合しているために、ゲージガイド溝８に対するゲージ１０の回転動作が規制される。又、ゲージ１０側の上面嵌合部１８は、ゲージガイド溝８側の被嵌合部１９に弾接状態で係合している。
【００３４】
そして、図５に示すように、ゲージ１０側の上面嵌合部１８がゲージガイド溝８の各種定型用紙の幅寸法と対応する位置まで移動すると、ゲージ１０側の上面嵌合部１８はゲージガイド溝８側の凹所２０内に望むようになる。その結果、前記上面嵌合部１８と被嵌合部１９との係合状態が解放されるため、使用者は快適なクリック感を得ることができる。
【００３５】
次に、ゲージ１０をゲージガイド溝８の収納位置まで押し込んだ場合について説明する。図９に示すように、ゲージ１０がゲージガイド溝８内の収納位置に押し込まれると、ゲージ１０の付き当て部材１２上部が下カバー７上面から突出するため、従来構造では該突出部分が孔明け時のパンチ操作を邪魔するという問題があったが、本発明ではかかる問題が解消される。
【００３６】
即ち、この場合、本発明ではゲージ１０に設けた回転規制用の下側棒状突起１４は、ゲージガイド溝８側の下側段部１６に対する係合を解放するため、図６に示すように、ゲージ１０を１方向に回転操作させると、ゲージ１０の下側棒状突起１４がゲージガイド溝８の回転ガイド面１７に乗り移って９０度回転移動するようになる。そして、ゲージ１０が９０度回転すると、図７に示すように、ゲージ１０の付き当て部材１２が水平方向に倒伏して保持される。
【００３７】
上記の如く本発明によれば、ゲージ１０はゲージガイド溝８の収納位置まで押し込むと、図１０に示すように、ゲージ１０が９０度回転することにより、付き当て部材１２の上部が下カバー７上面から突出しない水平向きに倒伏して保持される。依って、ゲージ１０を利用しない場合は、付き当て部材１２が孔明け操作の邪魔にならなくなる。
【００３８】
又、ゲージガイド溝８に沿ってゲージ１０を各種定型用紙の幅寸法と対応する位置まで移動させると、ゲージ１０側の上面嵌合部１８がゲージガイド溝８側の被嵌合部１９との係合が解放されることによりクリック感が得られるので、用紙位置決め時における操作フィーリングが一層向上する。
【００３９】
更に、ゲージ１０はゲージガイド溝８の左端側のゲージ挿入口９Ｌ又は右端側のゲージ挿入口９Ｒの何れからでも挿着できるので、ユニバーサルデザインの観点からゲージ１０の差し込み方向を左右逆にしても同一の操作機能を確保でき、従来例に比して孔明けパンチ１の使い勝手が良くなる。又、孔明けパンチ１のサイズを大きくする必要がなく、部品点数を必要最少に抑えることができる。
【００４０】
本発明に係る用紙位置決め用ゲージ機構は孔明けパンチ以外にホッチキス、電動孔明け装置などにも適用可能である。又、ゲージを使用しない場合は、ゲージ全体をゲージガイド溝から抜き出し、その後に、ゲージガイド溝に対するゲージの差し込み角度を変更して、ゲージガイド溝にゲージを再度セットすることにより、付き当て部材が孔明け操作の邪魔にならないように保持することもできる。
【００４１】
本発明は、本発明の精神を逸脱しない限り種々の改変を為すことができ、そして、本発明が該改変されたものに及ぶことは当然である。
【図面の簡単な説明】
【００４２】
【図１】本発明に係る一実施例を示し、孔明けパンチの斜視図。
【図２】一実施例に係るゲージを示す斜視図。
【図３】図２のゲージを上下逆にした状態のゲージを示す斜視図。
【図４】一実施例に係るゲージの引出し移動途中の回転規制の状態を説明する断面図。
【図５】一実施例に係るゲージの引出し移動途中のクリック感の惹起位置を説明する断面図。
【図６】一実施例に係るゲージを収納位置にて回転させる途中の状態を説明する断面図。
【図７】一実施例に係るゲージを収納位置にて９０度回転させたときの状態を説明する断面図。
【図８】一実施例に係るゲージの移動途中を説明する孔明けパンチの斜視図。
【図９】一実施例に係るゲージを収納位置まで押し込んだ状態を説明する孔明けパンチの斜視図。
【図１０】一実施例に係るゲージを収納位置にて９０度回転させたときの状態を説明する孔明けパンチの斜視図。
【符号の説明】
【００４３】
１    孔明けパンチ
２    ベースプレート
７    下カバー（ベース部材）
８    ゲージガイド溝
９Ｌ  ゲージ挿入口
９Ｒ  ゲージ挿入口
１０  ゲージ
１２  付き当て部材
１３  上側張出突起
１４  下側棒状突起
１５  上側段部
１６  下側段部
１７  回転ガイド面（回転許容部）
１８  上面嵌合部
１９  被嵌合部
２０  凹所（係合解放部）
【図１】
2010017784.tif 000003
【図２】
2010017784.tif 000004
【図３】
2010017784.tif 000005
【図４】
2010017784.tif 000006
【図５】
2010017784.tif 000007
【図６】
2010017784.tif 000008
【図７】
2010017784.tif 000009
【図８】
2010017784.tif 000010
【図９】
2010017784.tif 000011
【図１０】
2010017784.tif 000012